(57)【要約】【課題】照明光を提供する照明装置の異常を検出する駆動回路を有する電子機器及びその制御方法を提供する。【解決手段】実施形態の電子機器は、光源と、保護素子と、電源手段と、保護素子と、検出手段と、判定手段と、設定手段と、を具備する。光源は、直列接続したＬＥＤ素子を含む。電源手段は、光源に、駆動電圧を与える。保護素子は、前記ＬＥＤ素子のそれぞれに並列に接続する。検出手段は、前記光源及び前記ＬＥＤ保護素子に与えた前記駆動電圧の変動を検出する。判定手段は、前記検出手段が検出した前記駆動電圧の変動が非正常値であることを判定する。設定手段は、前記判定手段が前記非正常値を判定した場合に、前記電源手段が前記光源に与える前記駆動電圧を、通常時の電圧と異なる保護動作電圧に設定する。【選択図】図３
2014127658.tif 000002
【特許請求の範囲】
【請求項１】
直列接続したＬＥＤ素子を含む光源と、
前記光源に、駆動電圧を与える電源手段と、
前記ＬＥＤ素子のそれぞれに並列に接続したＬＥＤ保護素子と、
前記光源及び前記ＬＥＤ保護素子に与えた前記駆動電圧の変動を検出する検出手段と、
前記検出手段が検出した前記駆動電圧の変動が非正常値であることを判定する判定手段と、
前記判定手段が前記非正常値を判定した場合に、前記電源手段が前記光源に与える前記駆動電圧を、通常時の電圧と異なる保護動作電圧に設定する設定手段と、
を具備する電子機器。
【請求項２】
前記判定手段が前記非正常値を判定した場合に、リセット指示があるまで前記非正常値判定を保持する保持手段、
をさらに具備する請求項１記載の電子機器。
【請求項３】
前記検出手段は、前記駆動電圧の変動のうち、前記ＬＥＤ保護素子に掛かる電圧を、非ＤＣ成分を検出する微分回路を含む請求項１または２記載の電子機器。
【請求項４】
前記検出手段による前記駆動電圧の変動の検出を、一定期間停止する誤検知防止手段、
をさらに具備する請求項３記載の電子機器。
【請求項５】
前記光源が出力する光を用いて画像を表示する表示手段、
をさらに具備する請求項１〜４のいずれかに記載の電子機器。
【請求項６】
前記表示手段が表示する前記画像に対応する画像信号を処理する画像処理手段、
をさらに具備する請求項５記載の電子機器。
【請求項７】
直列接続したＬＥＤ素子とＬＥＤ素子のそれぞれに並列接続した保護素子である光源に印加した駆動電圧の変化を検出し、
検出した駆動電圧の変化が非正常値である場合に、駆動電圧を保護動作電圧に設定する
電子機器の制御方法。
【発明の詳細な説明】
【技術分野】
【０００１】
この発明は、表示装置を有する電子機器及びその制御方法に関する。
【背景技術】
【０００２】
表示装置を有するテレビジョン放送受信装置やパーソナルコンピュータ等の電子機器において、表示装置における表示方式に、照明光を用いるものがある。
【先行技術文献】
【特許文献】
【０００３】
【特許文献１】特開２００９−９９８９４号公報
【発明の概要】
【発明が解決しようとする課題】
【０００４】
照明光を提供する照明装置がＬＥＤ（Light Emitting Device）装置である場合、ＬＥＤ素子の端子電圧の変化をモニタし、端子電圧が閾値を超えた時に動作する保護回路を用いる。しかしながら、ＬＥＤ素子の温度上昇やＬＥＤ素子のばらつき（個体誤差）に起因して、保護回路が誤動作する場合がある。
【０００５】
今日では、ＬＥＤ素子１素子あたりの発光量の増加を受け、ＬＥＤ素子の素子数の削減すなわち部品コストの低減が可能である。
【０００６】
しかしながら、１素子あたりの発光量の増加は、ＬＥＤ（駆動）電流の増大を要求することになり、保護回路が誤動作した場合、過熱や保護回路の損傷、もしくは発煙や発火が生じる虞れがある。
【０００７】
この発明の目的は、照明光を提供する照明装置の異常を検出する駆動回路を有する電子機器及びその制御方法を提供することである。
【課題を解決するための手段】
【０００８】
実施形態の電子機器は、光源と、保護素子と、電源手段と、保護素子と、検出手段と、判定手段と、設定手段と、を具備する。光源は、直列接続したＬＥＤ素子を含む。電源手段は、光源に、駆動電圧を与える。保護素子は、前記ＬＥＤ素子のそれぞれに並列に接続する。検出手段は、前記光源及び前記ＬＥＤ保護素子に与えた前記駆動電圧の変動を検出する。判定手段は、前記検出手段が検出した前記駆動電圧の変動が非正常値であることを判定する。設定手段は、前記判定手段が前記非正常値を判定した場合に、前記電源手段が前記光源に与える前記駆動電圧を、通常時の電圧と異なる保護動作電圧に設定する。
【図面の簡単な説明】
【０００９】
【図１】実施形態を適用する電子機器の一例を示す。
【図２】実施形態を適用する電子機器の照明装置駆動回路の一例を示す。
【図３】実施形態を適用する電子機器の照明装置駆動回路の一例を示す。
【図４】実施形態を適用する電子機器の照明装置駆動回路の動作の一例を示す。
【図５】実施形態を適用する電子機器の照明装置駆動回路の動作の一例を示す。
【図６】実施形態を適用する電子機器の照明装置駆動回路の動作の一例を示す。
【図７】実施形態を適用する電子機器の照明装置駆動回路の動作の一例を示す。
【図８】実施形態を適用する電子機器の照明装置駆動回路の一例を示す。
【発明を実施するための形態】
【００１０】
以下、図面を参照して、本発明の実施の一形態について説明する。
【００１１】
図１は、電子機器、例えばテレビジョン放送受信装置の一例を示す。なお、実施形態においては、電子機器としてテレビジョン放送受信装置（以下テレビ装置と称する）を例に説明するが、表示装置を有し、表示装置における表示方式として、照明光を用いる装置であれば、例えばパーソナルコンピュータ（ＰＣ（Personal Computer））やタブレット装置もしくは携帯電話装置等、携帯（移動）の可否や大きさ等は、任意である。また、以下に説明する要素や構成は、マイクロコンピュータ（処理装置、ＣＰＵ（Central Processing Unit））により、ソフトウエアで実現するものであってもよいし、ハードウエアで実現するものであってもよい。また、表示装置が表示するコンテンツの取得あるいは出力の方法としては、空間波（電波）の利用、ケーブル（光ファイバを含む）やインターネット・プロトコル（ＩＰ）通信網等のネットワークの利用、もしくは半導体メモリ等の記録媒体の利用、等、任意である。なお、コンテンツは、ストリームや番組、もしくは情報と称する場合があり、映像及び音声あるいは音楽等を含む。また、映像は、動画と静止画、あるいはテキスト（コード化された符号列で示される文字や記号等で表される情報）、ならびにその任意の組み合わせを含む。
【００１２】
図１において、テレビ装置１０１は、受信部１１１、復調部１１２、信号処理部１１３、音声処理部１２１、映像処理部１３１、表示処理部１３２、制御部（ＭＰＵ，Main Processing Unit）１５０及び電源部１９０等を備える。また、テレビ装置１０１は、スピーカ（音響再生器）１２２及びディスプレイ（映像表示器）１３４を備える。ＭＰＵ１５０には、操作入力部１７１、受光部１７２、ＬＡＮインタフェース１８１、ＵＳＢコントローラ１８２及びＨＤＭＩ処理部１８３、等が接続する。
【００１３】
受信部１１１は、放送事業者（放送局）が放送（空間波）として提供する放送信号（番組）を受けつけ、チャンネル選局（番組選択）を行う。なお、受信部１１１は、配信事業者（コンテンツプロバイダ）が有線もしくは無線方式により提供するコンテンツ（ストリーム／番組）も受信可能である。受信部１１１は、選局あるいは番組選択した放送信号やコンテンツを復調部１１２に入力する。
【００１４】
復調部１１２は、受信部１１１からの放送信号あるいはコンテンツを復調する。復調部１１２は、復調した番組またはコンテンツを信号処理部１１３に入力する。
【００１５】
信号処理部１１３は、例えばＤＳＰ（Digital Signal Processor）を含み、復調部１１２が復調した番組またはコンテンツ（デジタル信号）を、映像信号及び音声信号、ならびに映像信号及び音声信号以外のデータ信号（テキスト情報（Electric Program Guide、電子番組表）、使用許諾情報（ＣＡＳ情報）及びＤＲＭ（コンテンツ保護方式）情報等）に分離する。
【００１６】
信号処理部１１３は、分離した音声信号を音声処理部１２１に、映像信号を映像処理部１３１に、それぞれ供給する。信号処理部１１３はまた、データ信号を制御部１５０に、供給する。
【００１７】
音声処理部１２１は、信号処理部１１３からの音声信号を、スピーカ１２２により再生可能なフォーマットのオーディオ信号に変換し、スピーカ１２２に供給する。スピーカ１２２は、供給されるオーディオ信号から、音声及び／または音響（Audio）を再生する。
【００１８】
映像処理部１３１は、信号処理部１１３からの映像信号を、ディスプレイ１３４が再生（表示）可能なフォーマットの表示信号に変換（表示処理）し、表示処理部１３２に出力する。
【００１９】
ＯＳＤ処理部１３３は、信号処理部１１３から供給されるデータ信号、及び／または制御部１５０から供給される制御信号に基づいてＧＵＩ（Graphical User Interface、グラフィカルユーザインタフェース）表示、字幕表示、時刻表示等を、映像処理部１３１からの表示信号に重畳して表示するためのＯＳＤ（On Screen Display、オンスクリーンディスプレイ）信号を生成する。
【００２０】
表示処理部１３２は、ディスプレイ１３４が、映像処理部１３１からの映像信号を表示映像（画面表示）として表示する際のフレーム毎の画像について、例えば色味、明るさ、シャープあるいはコントラスト等がディスプレイ１３４の再現（表示）可能な条件の範囲内の所定の条件内に収まるよう、画質調整処理を行う。なお、画質調整処理のための制御情報（数値入力による制御量、あるいはＧＵＩによる表示映像を用いた可視的指示入力による制御量）は、後段に説明する操作入力部１７１またはリモートコントローラ（以下、リモコンと称する）１７３による指示入力、もしくはタブレット装置やスマートフォンと呼ばれる携帯可能な端末装置（以下、携帯端末と称する）等が保持するアプリケーション（ソフトウエア）に従う制御指示として入力される。
【００２１】
表示処理部１３２はまた、画質調整処理後の上述の映像処理部１３１からの表示信号とＯＳＤ処理部１３３からのＯＳＤ信号とを重畳し、ディスプレイ１３４に供給する。
【００２２】
ディスプレイ１３４は、例えばマトリクス状に配列された画素を備える液晶表示パネルと、液晶表示パネルに一体的に付属する照明装置１３５とを備える。ディスプレイ１３４は、液晶表示パネルが表示した画像を照明装置１３５の出力する照明光（バックライト）が選択的に透過する光の明暗及び色として、表示処理部１３２からの表示信号に対応する映像（Video）を表示する。照明装置１３５は、ＬＥＤ（Light Emitting Device）素子を含み、点灯回路（ＬＥＤドライバ）１３６からの駆動電圧に対応する所定の明るさ及び色あいの光（照明光）を出力する。
【００２３】
なお、テレビ装置１０１は、ディスプレイ１３４の代わりに、あるいは並列に映像出力端子を備える構成であってもよい。また、テレビ装置１０１は、スピーカ１２２の代わりに、あるいは音声出力端子を備える構成であってもよい。
【００２４】
制御部（ＭＰＵ（Main Processing Unit）主制御ユニット）１５０は、テレビ装置１０１におけるさまざまの要素の動作を制御する。制御部１５０は、ＣＰＵ（Central Processing Unit）１５１、ＲＯＭ（読み出し専用メモリ）１５２、ＲＡＭ（書き換え可能（ランダムアクセス）メモリ）１５３、ＥＥＰＲＯＭ（不揮発性メモリ）１５４、及びタイマ部（予約管理部）１５５、等を含む。制御部１５０は、操作入力部１７１あるいは受光部１７２を経由するリモコン１７３からの指示入力（ユーザ操作）に従い、種々の処理を行う。
【００２５】
ＣＰＵ１５１は、種々の演算処理を実行する演算素子やファームウエア及びメモリ領域等を含む。ＣＰＵ１５１は、ＲＯＭ１５２やＥＥＰＲＯＭ１５４が保持するプログラムを実行することにより、種々の機能（処理）を実現する。
【００２６】
ＲＯＭ１５２は、テレビ装置１０１を制御するプログラム、及び例えばコンテンツ（番組）の複製（コピー）と移動（ムーブ、No More Copy、複製は不許可）等のさまざまな機能を実現するプログラム等、を保持する。
【００２７】
ＣＰＵ１５１は、操作入力部１７１もしくはリモコン１７３からの指示入力、あるいは携帯端末等が保持するアプリケーションに従う制御指示に従い、ＲＯＭ１５２が保持するプログラムを起動する。これにより、制御部１５０は、各部の動作を制御する。
【００２８】
ＲＡＭ１５３は、ＣＰＵ１５１のワークメモリ（作業エリア）として機能するもので、ＣＰＵ１５１の演算結果、ＣＰＵ１５１により読み込まれたデータ、操作入力部１７１、もしくはリモコン１７３からの指示入力、あるいは携帯端末等の上述のアプリケーションに従う制御指示、すなわち制御コマンド等を記憶する。
【００２９】
ＥＥＰＲＯＭ１５４は、各種の設定情報、及びプログラムなどを記憶する。
【００３０】
操作入力部１７１は、ユーザ操作（指示入力）に対応する操作信号を、制御部１５０に入力するもので、例えば操作キー（操作パネル）等である。操作入力部１７１は、例えばキーボード、マウス、タッチパッドまたは操作に対応して操作信号を生成する任意の形式の入力装置であってもよい。なお、ディスプレイ１３４がテレビ装置１０１と一体的であり、タッチパネル機能を有する場合、操作入力部１７１を、ディスプレイ１３４と一体に形成されるタッチパネルとすることも可能である。
【００３１】
リモコン１７３は、ユーザによる操作入力を受光部１７２が識別可能な、ユーザ操作に対応する操作信号を生成する。リモコン１７３は、生成した操作信号を、例えば赤外線を用いる通信により、受光部１７２に送信する。
【００３２】
受光部１７２は、リモコン１７３からの操作信号を受信し、操作信号に対応するＣＰＵ５１への指示として、例えば指示信号をＣＰＵ１５１に供給する。ＣＰＵ１５１は、受光部１７２からの指示信号に従い、リモコン１７３によるユーザ操作に対応する各部の動作を制御し、あるいは機能を実現する。
【００３３】
なお、リモコン１７３から受光部１７２への指示信号は、例えば所定周波数及び出力の電波を用いる無線通信であってもよい。
【００３４】
ＬＡＮインタフェース１８１は、ホームネットワーク（ＤＬＮＡ、Digital Living Network Alliance（登録商標））上の他のテレビ装置やレコーダ装置、あるいは外部チューナ等との間でコンテンツの共有を可能とする。また、ＬＡＮインタフェース１８１は、公衆通信回線を経由してインターネット網に接続可能で、インターネット上の任意のサーバあるいはプロバイダが提供するコンテンツのダウンロード、等を制御する。
【００３５】
ＵＳＢコントローラ１８２は、ＵＳＢ（Universal Serial Bus）規格のインタフェースにより接続するＵＳＢ機器（外部機器）、例えばＵＳＢ−ＨＤＤ（ＮＡＳ、Network Attached Storage）、もしくはメモリカードとの間でデータの受け渡しを可能とする拡張リーダ／ライタ等が接続された場合、接続相手先となるＵＳＢ機器との間でデータの受け渡し、すなわちデータの読み出し及び書き込みを行う。なお、ＵＳＢ−ＨＤＤや拡張リーダ／ライタを介して接続する機器がコンテンツを保持できる場合、接続相手先が保持するコンテンツに所定のＤＲＭ（コンテンツ保護方式）を適用できる。
【００３６】
ＨＤＭＩ処理部１８３は、ＨＤＭＩ（登録商標）すなわちＨＤＭＩ（High Definition Multimedia Interface）規格に基づき、双方向通信を行なうＨＤＭＩインタフェースである。ＨＤＭＩ処理部１８３には、ブルーレイ（登録商標）レコーダ、ＤＶＤレコーダ、ハードディスクレコーダ、もしくはＨＤＭＩ規格に対応した機器（ＨＤＭＩ機器）が接続される。ＨＤＭＩ処理部１８３は、接続されたＨＤＭＩ機器との間で、コンテンツ（ストリーム）の受け渡しが可能である。
【００３７】
制御部（ＭＰＵ）１５０はまた、タイマ部１５５を含む。
【００３８】
タイマ部１５５は、時刻や、ユーザからの入力により設定される予約録画のための予約時刻（日時）と録画対象チャンネル等の情報を管理するとともに、その情報を保持可能である。タイマ部１５５は、受信部１１１が受信するデジタル放送信号が含むＴＯＴ（Time Offset Table）と呼ばれる「時刻情報」を、常時取得する。また、タイマ部１５５は、例えば携帯端末装置から供給されるスケジューラ機能やメッセンジャ機能のための計時部としても機能する。
【００３９】
タイマ部１５５はまた、録画予約された予約録画の実行時や、スケジューラ機能およびメッセンジャ機能により規定される所定の時刻において、電源部１９０による商用電源に対する電源のオン／オフ（通電）を制御する。
【００４０】
電源部１９０は、商用電源であるＡＣ（交流）電圧をＤＣ（直流）化し、例えば制御部（ＭＰＵ）１５０等の動作に用いる２次電源である、例えばＤＣ３１Ｖあるいは点灯回路１３６等の動作に用いるＤＣ５ＶもしくはＬＥＤ素子への電源（端子電圧）や、さまざまな要素の動作に用いるＤＣ２４Ｖ等、を出力する。
【００４１】
図２は、照明装置のＬＥＤ素子を動作する点灯回路（ＬＥＤドライバ）の一例を示す。
【００４２】
点灯回路（ＬＥＤドライバ）１３６は、直流電源部（ＤＣ−ＤＣコンバータ）２、電源検出器（電流検出抵抗）４、異常電圧検出器（微分回路）５、異常判断器（比較回路）６、保持回路（リセット部）７、及び駆動制御部８、等を少なくとも含む。
【００４３】
直流電源部２は、図３に一例を示すが、例えばＤＣ−ＤＣコンバータ２１を含み、電源部１９０からのＤＣ入力を、照明装置１３５に用いる光源であるＬＥＤバー３の端子電圧として利用するための所定の電圧に変換する。なお、ＤＣ−ＤＣコンバータ２１がＰＷＭ（Pulse Width Modulation）方式である場合、ＯＮ（オン）時間のデューティ（１パルスあたりのオン時間の比率）を制御することにより、実効出力すなわち発光時の明るさが変更できる。
【００４４】
光源３は、図３に一例を示すが、ＬＥＤバーと称し、任意数（ｎ個、ｎは正の整数）のＬＥＤ−１、ＬＥＤ−２、・・・、ＬＥＤ−ｎを、アノード−カソード間の印加電圧に対して直列となるように接続したユニットである。なお、それぞれのＬＥＤ（素子）には、ＥＳＤ（Electrostatic Discharge）保護に用いるツェナダイオードＺＤ−１、ＺＤ−２、・・・、ＺＤ−ｎ（ｎは正の整数）が、並列に接続される。
【００４５】
電源検出器４は、ＬＥＤバー３に所定の電圧が印加されていること（電圧供給の有無）を検出するための負荷抵抗（Ｒ４）４０であり、ＬＥＤバー３のカソード側に位置する。なお、電源検出は、負荷抵抗（Ｒ４）４０の両端にかかる電圧の有無により検出できる。
【００４６】
異常電圧検出器５は、例えばＬＥＤバー３のボンディング（ワイヤ）の外れ等により、ＬＥＤバー３の任意数のＬＥＤ電圧ＶＬＥＤの変化を検出するもので、図３に一例を示すように、例えばＤＣカット素子（コンデンサ（Ｃ１））と分圧器（分圧抵抗（Ｒ１，Ｒ２））と、を含む微分回路（ＣＲ回路）５０からなる。なお、ＬＥＤバー３に印加するＤＲＩＶＥＲの出力電圧ＤＲＩＶＥＶｃｃを微分回路５０のＣ１側に入力する。
【００４７】
異常判断器６は、図３に一例を示すように、異常電圧検出器５が検出するＬＥＤ電圧ＶＬＥＤの大きさが正常値であるか非正常値（ＬＥＤオープン発生）であるかをＬＥＤ電圧ＶＬＥＤと参照電圧Ｖｒｅｆとの比較により判断する比較回路（コンパレータＵ１）６１からなる。なお、異常判断器６において、コンパレータＵ１（６１）の一端に微分回路５０（異常電圧検出器５）のＲ１とＲ２の接続点の信号を入力する。これをコンパレータＵ１（６１）のもう一端の基準電圧Ｖｒｅｆと比較する。
【００４８】
保持回路７は、図３に一例を示すように、ＬＥＤバー３の異常を異常判断器６が検出したことを、マイコン（コンパレータＵ２）７１及びマイコン７１と接続するリセット回路７２からなる。マイコン７１は、リセット回路７２のスイッチ７３からリセット信号Ｒｅｓｅｔの入力があるまで、前段の異常判定器６が出力する異常検知信号Ｅｒｒｏｒを保持する。なお、リセット回路７２は、電源部１９０からの、例えばＤＣ３．３Ｖ出力を動作電源として利用する。また、マイコン（コンパレータＵ２）７１の入力の１つは、ミュート（Ｍｕｔｅ）信号であり、例えば電源投入（起動）時に、異常電圧検出器５（微分回路５０）がＬＥＤバー３の異常を誤検知することを防止する。すなわち、異常判断器６のコンパレータＵ１（６１）の出力をマイコン（コンパレータ）Ｕ２７１で監視して、一度異常状態を検出したら、保護機能を継続して働かせ、以後、電源をＯＦＦ／ＯＮしても保護状態を保持する。なお、マイコンＵ２（７１）のＭｕｔｅ（ミュート）端（入力１）は、図６に示すように、電源ＯＮ時の立ち上がり「ｅ」、「ｆ」等において、マイコンＵ２（保護回路）にトリガが懸るのを防止するためのもので、「ｅ´」、「ｆ´」として、検出時期を遅らせるものである。また、上述したように、保護動作電圧を検出して保護機能が動作した場合において、修理等でＬＥＤ素子（ＬＥＤバー）の不良状態が取り除かれた時に、ＳＷ７３からリセット回路７２を動作できる。これにより、回路（光源３）の動作を正常状態に戻すことができる。
【００４９】
駆動制御部８は、図３に一例を示すが、ＬＥＤバー３に印加する電圧を設定する（直流電源部２に対する指示値を出力する）もので、例えばマイコンＵ３（ドライバＩＣ）８１からなる。マイコンＵ３（ドライバＩＣ）８１は、ＤＣ−ＤＣコンバータ２１（直流電源部２）に、正常動作（点灯）または保護動作（非点灯）に対応する制御信号を出力する。すなわち、異常判断器６のコンパレータＵ１（６１）の出力を保持回路７のマイコンＵ２（７１）を通じて、ＬＥＤドライバＩＣ（マイコンＵ３）８１へ入力し、マイコンＵ２の判定に従い、正常動作（点灯制御）または保護動作（非点灯）を行う。なお、ＤＣ−ＤＣコンバータ２１がＰＷＭ方式である場合、オン時間のデューティを制御することにより、保護動作時に実効出力を所定の割合で制限して、完全な消灯（非点灯）を回避して、一定の明るさの照明光を得ることもできる。
【００５０】
詳細には、図４（ａ）、図４（ｂ）に一例を示すが、図３に示したＬＥＤバー３のように、ＬＥＤ素子を直列に接続した光源において、いずれかのＬＥＤ素子のＬＥＤ１（図４（ｂ））が、ボンディング外れ等に起因してオープン（点灯不良）となった場合、すなわち光源３が故障した場合、オープンとなったＬＥＤと並列挿入されているツェナダイオードＺＤ１（図４（ｂ））に、本来ＬＥＤ１に印加すべき印加電圧が掛かる。これにより、オープンとなったＬＥＤ１に掛かるドライブ電圧（駆動電圧）ＤＲＩＶＥＶｃｃは、正常時のＶＬＥＤ（図４（ａ））からツェナダイオードＺＤ１の両端に掛かるツェナー電圧ＶＺ（図４（ｂ））に上昇する。
【００５１】
すなわち、ＬＥＤバー３の両端のドライブ電圧（駆動電圧）ＤＲＩＶＥＶｃｃは、正常時（図４（ａ））においては、    
ＤＲＩＶＥＶｃｃ＝ｎ×ＶＬＥＤ 
であるが、    
オープン時（図４（ｂ））においては、    
ＤＲＩＶＥＶｃｃ＝（ｎ−１）×ＶＬＥＤ×ＶＺ 
となる。
【００５２】
このとき、異常電圧検出器５（図２）すなわち図３に示した微分回路（ＣＲ回路）５０においては、ＬＥＤ駆動電圧ＤＲＩＶＥＶｃｃに、図５に示すような、スパイク状の波形変化（瞬間的な電圧変動Ｖｅｒｒｏｒ）を検出できる。
【００５３】
ここで、電圧変動Ｖｅｒｒｏｒを検出する保護動作電圧Ｖｈｏｌｄは、ツェナダイオード電圧ＶＺとＬＥＤ電圧ＶＬＥＤとについて、    
Ｖｈｏｌｄ  ＝  ＶＺ−  ＶＬＥＤ 
未満に設定するとよい。
【００５４】
すなわち、保護用のツェナダイオードのツェナ電圧ＶＺは、６〜１２Ｖが使われることが多く、ＬＥＤ電圧ＶＬＥＤは、温度変化（温度ドリフト）やＬＥＤ素子のばらつき（個体誤差）を考慮しても３．３Ｖ±１Ｖ程度である。従って、保護動作電圧（保護動作点）Ｖｈｏｌｄを１Ｖ程度に設定しておけば、ＬＥＤ素子のオープン不良を全て検出できる。
【００５５】
なお、図２により説明した異常電圧検出器が、標準的な回路の多くに見られる図８に示すような単純な分圧回路１１のみである場合は、ＬＥＤ駆動電圧ＤＲＩＶＥＶｃｃｄは、図７に示す通り、ＬＥＤ駆動電圧ＤＲＩＶＥＶｃｃを分圧した分圧出力Ｖｃｃｄとなる。
【００５６】
すなわち、分圧出力Ｖｃｃｄは、検出部１２において、保護動作電圧（保護動作点）Ｖｈｏｌｄと比較されるが、異常発生時の分圧出力Ｖｃｃｄが、保護動作電圧Ｖｈｏｌｄよりも高いＶｍａｘとなるＬＥＤ素子の場合には、異常検出に寄与する（正常な異常検知が可能である）。しかしながら、温度変化（温度ドリフト）やＬＥＤ素子のばらつき（個体誤差）に起因して、ＬＥＤ素子毎に異なる。このため、分圧出力Ｖｃｃｄは、異常発生時であるにもかかわらず、正常時に誤動作を生じない（正常であるにもかかわらず誤検知しない）ように、余裕をもった電圧に設定されているＶｈｏｌｄに比較して低いＶｃｃｍｉｎを出力するＬＥＤ素子については、異常検出ができない場合がある。
【００５７】
また、今日のＬＥＤ液晶テレビ装置においては、ＬＥＤ素子の個数を低減し、コストの低減が図られているが、半面、故障（ＬＥＤオープン）発生時には、ツェナダイオードに数１００ｍＡの電流が流れ、その消費電力も大きい。このため、場合によっては、過熱が発生し、発煙や発火の不具合、最悪の場合、ツェナダイオードも故障に至り、オープンで故障した場合は、光源が消灯してしまう場合がある。
【００５８】
従い、ＤＣカット素子（Ｃ成分）を含む異常電圧検出器５（微分回路５０）が検出するＬＥＤ電圧ＶＬＥＤの大きさが正常値であるか非正常値（ＬＥＤオープン発生）であるかをＬＥＤ電圧ＶＬＥＤと参照電圧Ｖｒｅｆとの比較により判断する本提案が有益である。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１０１…電子機器（テレビジョン受信装置）、１３４…表示装置（ディスプレイ）、１３５…照明装置、１３６…点灯回路（保護装置）。
【図１】
2014127658.tif 000003
【図２】
2014127658.tif 000004
【図３】
2014127658.tif 000005
【図４】
2014127658.tif 000006
【図５】
2014127658.tif 000007
【図６】
2014127658.tif 000008
【図７】
2014127658.tif 000009
【図８】
2014127658.tif 000010